(57)【要約】表示装置において画素を画像信号で駆動する方法が開示されており、上記画像信号は上記表示装置により表示されるべき画像のグレーレベル情報を有する。この方法は、上記画像信号を、各々がセクション期間を有する複数のセクションに分割するステップ、上記セクション期間を、隣接し重み付けされた複数のサブセクション期間に分割するステップ、上記セクション期間の間に駆動されるべき画素の各々に対して、グレーレベル情報に依存して、隣接するサブセクション期間のシーケンスを選択するステップであって、これら選択可能なシーケンスは共通の開始及び終了ポイントが無いようにするステップ、隣接するサブセクション期間のシーケンスの間、画素を駆動するステップ、を有する。この方法はパルス幅変調された信号によって駆動されるディスプレイ（例えば、プラズマディスプレイパネル、ダイナミックフォイルディスプレイ、及びパッシブディスプレイを含む、サブフィールド動作及びサブライン動作によるディスプレイ）に適用される。
2006508395.tif 000002
【特許請求の範囲】
【請求項１】
表示装置において画素を画像信号で駆動する方法であって、前記画像信号は前記表示装置により表示されるべき画像のグレーレベル情報を有し、
前記方法が、
−  前記画像信号を、各々がセクション期間を有する複数のセクションに分割するステップ、
−  前記セクション期間を、隣接し重み付けされた複数のサブセクション期間に分割するステップ、
−  前記セクション期間の間に駆動されるべき画素の各々に対して、グレーレベル情報に依存して、隣接するサブセクション期間のシーケンスを選択するステップであって、これら選択可能なシーケンスは共通の開始及び終了ポイントが無いようにするステップ、
−  隣接するサブセクション期間の前記シーケンスの間、前記画素を駆動するステップ、
を有する方法。
【請求項２】
前記重み付けされたサブセクション期間は、隣接するサブセクション期間の実質的に線形的に増加するシーケンスの範囲の選択を可能にするように選択される、請求項１による方法。
【請求項３】
前記範囲の任意の２つの連続するシーケンスの間の差は、前記複数のサブセクション期間のうちの最も短い期間の重みに実質的に等しい、請求項２による方法。
【請求項４】
前記セクション期間の最後の３つのサブセクションが、相対的な重み「４：１：２」を有する、請求項３による方法。
【請求項５】
前記サブセクションの重みが、「１：２：４：２：４：１：２」、「１：２：６：２：４：１：２」、「１：２：６：３：４：１：２」、及び「１：２：９：１：４：１：２」のうちの1つに選択される、請求項４による方法。
【請求項６】
前記サブセクションがＮ個のグループに配され、ｎ番目のグループが、大きくなる重み２０，２１，．．，２ｎを伴なうｎ+１個のサブセクションを有し（指数ｎは１からＮの範囲）、Ｎ個のグループは、最も大きい指数を最初に有して、小さくなる順に配される、請求項３による方法。
【請求項７】
前記サブセクションは、２つの隣接するグループに配され、前記２つのグループのうちの第１のグループは小さくなる順のサブセクションを有し、前記２つのグループのうちの第２のグループは大きくなる順のサブセクションを有する、請求項１による方法。
【請求項８】
前記サブセクションの選択可能なシーケンスの各々の中央部は、前記セクション期間の中央部に近い、請求項７による方法。
【請求項９】
光を発するために駆動されなければならない画素は、前記サブセクションの第１のグループの間オンであり、前記サブセクションの第２のグループの間オフである、請求項７による方法。
【請求項１０】
前記サブセクションの重みは、連続する選択可能なシーケンスの重みが実質的に指数曲線を形成するように選択される、請求項７による方法。
【請求項１１】
ディスプレイを有し、請求項１の方法を用いたサブフィールド動作表示装置。
【請求項１２】
ディスプレイを有し、請求項１の方法を用いたサブライン動作表示装置。
【発明の詳細な説明】
【技術分野】
【０００１】
本発明は、表示装置における画素を駆動する方法に関する。
【０００２】
本発明は、斯かる方法を使用する表示装置にも関する。
【背景技術】
【０００３】
画像信号のパルス幅変調によってディスプレイのグレースケールを実現することが知られており、これによって、画像データの表示フレームの１本のラインに関する画素を駆動するのに利用可能なライン期間が、等期間のＮ個のサブライン期間に分割される。これは、値４、５及び６を有するグレーレベルＧＬの図１に示されている。駆動の間、画素はライン期間の開始時にオンになり、所望のグレースケールレベルに到達することが要求される多数の連続サブライン期間の間、オンに維持される。サブライン期間が等しい長さであるので、サブラインの各々は、そのライン期間の間に放出される光に等しく寄与する、又は、言い換えると、各サブラインは等しい重みＷを有する。これは、図１の各サブフィールドの等しい重みＷの値１によって示される。これらのサブライン期間の後、画素はＯＦＦに切り替えられ、フレームの残りの期間はＯＦＦのままである。
【０００４】
しかし、この方法はＮ＋１個のグレースケールレベルを可能にするだけである。ここで、Ｎはサブラインの数である。
【０００５】
異なる輝度レベルを達成するために、サブラインを重み付けし（即ち、それらに異なる長さを割り当てる）、組合せ論理を用いることによって、別の技術が達成される。従って、Ｎ個の重み付けされたサブラインのうちの任意の数のサブラインが、所望の長さの全期間を形成するために、組み合わせられる。バイナリ重みＷを選択することによって、この方法は、非常に有効である。図２に示すように、バイナリ重みＷは、通常、単純に最下位ビットＬＳＢから最上位ビットＭＳＢまで割り当てられる。ここには、グレーレベルＧＬの値４、５及び６が再度示されている。
【０００６】
この解決策は利用可能なグレースケールレベルの数の増加をもたらす一方（Ｎ個のサブラインに対して２Ｎ個）、幾度の状態変化（ＯＦＦからＯＮ、及びＯＮからＯＦＦ）がフィールドの間必要になる場合があるので、スイッチング動作の回数を増やすことも必要である。
【０００７】
また、画素を流れる電流は、特定の立上り時間を有し、これは、図１に示されている。図２から明らかなように、異なるサブラインが異なるレベルを達成するために組み合わせられるとき、立上り時間の回数をグレーレベル間で変えることができる。これは、輝度がサブラインの間の発光の積分に比例するので、グレースケールに非線形性を生じさせる。例えば、値４及び６によって表されるレベルが１回の立上り時間のみを必要とする一方、値５によって表されるレベルは２回の立上り時間を必要とする。
【０００８】
サブラインアドレッシングに焦点を当てている上記のことは、例えば、一般にＰＬＥＤディスプレイに当てはまる一方、同様の問題は、サブフィールドアドレッシングでも生じ、例えば、一般にプラズマディスプレイに当てはまる。バイナリの重み付けされたサブフィールドの場合、（ほとんど）どのサブフィールドも潜在的にアドレス期間の開始又は終了を表すことができるように、各サブフィールドに対してＯＮアドレス及びＯＦＦアドレスを実行することが可能でなければならない。多くの場合においてＯＮアドレッシングはＯＦＦアドレッシングより長い時間がかかるので、これは効率的でない。
【発明の開示】
【発明が解決しようとする課題】
【０００９】
本発明の目的は、グレースケールレベルを表示装置に供給するための改良されたパルス幅変調駆動方法を提供し、これによって上記の問題を回避する又は少なくとも和らげることにある。
【課題を解決するための手段】
【００１０】
本発明は独立項によって規定される。従属項は、有利な実施例を規定する。この目的は、表示装置において画素を画像信号で駆動する方法であって、上記画像信号は上記表示装置により表示されるべき画像のグレーレベル情報を有し、上記方法が、
−  上記画像信号を、各々がセクション期間を有する複数のセクションに分割するステップ、
−  上記セクション期間を、隣接し重み付けされた複数のサブセクション期間に分割するステップ、
−  上記セクション期間の間に駆動されるべき画素の各々に対して、グレーレベル情報に依存して、隣接するサブセクション期間のシーケンスを選択するステップであって、これら選択可能なシーケンスは共通の開始及び終了ポイントが無いようにするステップ、
−  隣接するサブセクション期間のシーケンスの間、画素を駆動するステップ、
を有する。
【００１１】
セクションは画像のフレーム又はフィールドとすることができ、一方、セクション期間はフレーム期間又はフィールド期間である。斯かる場合、サブセクションはサブフィールドである。
【００１２】
あるいは、セクションは画像フレームのラインとすることができ、一方、セクション期間はライン期間である。斯かる場合、サブセクションはサブラインである。セクションは、フレームの他の部分、例えばラインのグループとすることもできる。従って、本発明による方法は、line-at-a-time動作のディスプレイ及びサブフィールド動作のディスプレイに有利に使用することができる。
【００１３】
本発明によれば、画素がフレーム期間の間に駆動されるとき、一回の立上り時間のみが存在し、従って、立上り時間の間の光出力の損失は全てのグレースケールレベルに対して同じである。この利点の代償は、（同じ数のサブフィールドを伴なう）完全なバイナリ組合せ論理よりも利用可能なレベルの数が僅かに少ないことである。
【００１４】
シーケンスは隣接するサブセクション期間の選択によって形成されるので、シーケンスの開始ポイントはそのシーケンスの最初のサブセクション期間に依存し、終了ポイントはそのシーケンスの最後のサブセクション期間に依存する。言い換えると、選択可能なシーケンスは共通の開始及び終了ポイントを有さない。
【００１５】
本発明はディスチャージ／チャージの動作の回数の低減も可能にし、これは、多くの型式のディスプレイ（例えば、プラズマディスプレイ）において、低損失及び画素の長寿命をもたらす。
【００１６】
ＷＯ９９／２８８９０号に記載された型式のディスプレイ（ダイナミックフォイルディスプレイと呼ばれる）では、本発明は、有利に実現することができる。例えば、フォイルが１つのフレームの中で2回以上パッシブプレートからアクティブプレートに切り替えられて戻る方式と比較して、連続的な光発生を伴なう方式を適用することによって、フォイルスイッチングの周波数が低減するので、斯かるフォイルディスプレイの寿命が改善される。
【００１７】
本発明はカラーディスプレイにも適用される。この場合、この方法は、カラー画素のタイプに対応する「グレーレベル」情報を含む画像信号の各色成分に適用される。
【００１８】
グレーレベルの線形範囲が望まれるときは、それぞれの重み、又は言い換えると連続するサブセクション期間のそれぞれの長さは、任意の連続する２つのグレーレベルに対して、隣接するサブセクション期間の対応するシーケンスが等しい時間差を有するように選択される。好ましくは、その差は、最も小さいサブセクションの重み（典型的には、「１」として規格化される）に等しい。これは、従来によるバイナリコーディング方式と同様に、完全なグレーレベルの範囲をもたらすが、フレーム毎に一回の立上り時間のみである。
【００１９】
上記セクションの最後の３つのサブセクションが重み「４：１：２」を有することが有利だろう。これは良好な開始ポイントを提供し、他の適切な重みを当該サブセクションのグループの前に付けることができる。もちろん、その逆、即ち、セクションは重み「２：１：４」から始まり、他の重みが当該グループの後に付けられることも可能である。
【００２０】
本発明の一実施例によれば、上記セクションがサブセクションのＮ個のグループに配され、各グループが、大きくなる重み２０，２１，．．，２ｎを有し（ｎは１からＮの範囲）、それらグループは、（ｎ＝Ｎである）最も大きいグループを最初にして、小さくなる順に配される。もちろん、それらグループが小さくなる重みを有し且つ大きくなる順に配される、即ち、上記の実施例と比較して完全に逆の順でも、同じ効果が達成される。この方式に従って重みを選択することは、（Ｎ＋３）＊Ｎ／２個のサブセクションで２Ｎ＋２−Ｎ−３レベルのコード化を可能にする。
【００２１】
サブセクションは、サブセクションの選択可能なシーケンスのうちの中央のシーケンスは、セクション期間の中央部にできるだけ近い、請求項７による方法。斯かる配置により、特にサブフィールド動作ディスプレイの場合、空間的−時間的アーチファクトが減少される。
【００２２】
好適実施例によれば、サブセクションは２つの連続するグループ（１つは小さくなる順のグループ、もう１つは大きくなる順のグループ）に配される。この配置によって、最も大きい重みのサブセクションは、セクション期間の前半及び後半に渡って分散し、各グレーレベルに対する選択された隣接するサブセクション期間のシーケンスの中央部は、セクション期間の中央部にほぼ対応するようになる。
【００２３】
斯かる配置では、フレーム期間の間に発光しなければならない各画素に対して、少なくとも最も短いサブセクションが、セクション期間の前半の間、活性化されることを確かなものにすることができる。この特徴は、画素に対して、２つの連続するグループのうちの第１のグループに属するサブセクションを有するセクション期間の前半の間オンとなり、第２のグループに属するサブセクションを有するセクション期間の後半の間オフとなるようにすることを可能にする。
【００２４】
上記のように、ゼロ以外のグレーレベルに対して選択される各シーケンスは、オングループに少なくとも１つのサブセクションを含み、これは、セクション期間の前半の間のいずれかの時に、一度オンになり、セクション期間の後半の間のいずれかの時に、一度オフになることを意味する。これは、スイッチング損失をもたらすオン及びオフの動作のスイッチングがより少ない、及び／又はアドレッシングに必要な時間がより短いので、アドレッシングをさらに効率的に行うことを可能にする。
【００２５】
更に、サブセクションの重みは、グレーレベルの範囲が逆ガンマ曲線を形成するように選択されることが好ましい。これは、グレーレベルの範囲がヒューマンビジュアルトランスファーシステム（human visual transfer system）の感度に適合するという利点を有する。
【００２６】
本発明のこれら及び他の態様は、添付図面から明らかであり、その図面を基準にして説明される。
【発明を実施するための最良の形態】
【００２７】
本発明の第１の実施例は、図３−７に示されている。これらの例でのコーディング方式は、図３の一番右の４−１−２の重みＷそれぞれを伴なうサブフィールドのグループから始まるように設計されている。図３でのコーディング方式では、次に、（右から左に）２−４−２−１の重みＷで一連のサブフィールドが続けられる。これは、０から１６まで線形スケールで１７個の異なるグレーレベルＧＬを発生させるために、７個のサブフィールドが使用されるコーディング方式をもたらす。全てのグレーレベルＧＬが隣接するサブフィールドから構成され、結果として得られるアドレッシング期間は変動する開始／終了ポイントを有することに注意されたい。これは図４に示されており、値４、５及び６を有するグレーレベルＧＬの発生を示している。従って、例えばＰＬＥＤディスプレイの場合、発生させるべきグレーレベルＧＬに関わらず、各フレームに対して、１つの立上り時刻ｔＲのみが必要なだけである。
【００２８】
図１による純然たるパルス幅変調（ＰＷＭ）方式と対比して、２つの連続するグレーレベルＧＬの間の幾つかの遷移において、１つ以上のサブフィールドは値を変えることができる点に注意しなければならない。
【００２９】
他の例が図５に示されている。３番目のサブフィールドの重みＷを４から６に変えることによって、本発明の全ての特徴を残したままで、線形グレーレベルの数がここでは１９（０乃至１８）に増える。
【００３０】
４番目のサブフィールドの重みＷが２に代えて３に増加すると、図６に示されているように、本発明の特性が依然として変わらないままで、２０個の線形グレーレベルＧＬを得ることができる。
【００３１】
あるいは４番目のサブフィールドの重みＷを１に減少させると、３番目のサブフィールドは、図７に示すように、更に９にまで増加させることができる。従って、７個のサブフィールドを伴なうこの線形コーディング方式は、獲得できる２１個のグレーレベルＧＬを有し、各々のグレーレベルは、１つの立上り時間のみが必要なだけである。
【００３２】
同様の特徴を有するが僅かに異なる方法で設計された本発明の第２の実施例によるコーディング方式が、図８で示されている。この場合、サブフィールドは、図８にＧ１、Ｇ２、Ｇ３によって示されている複数のグループＧに配されており、各グループＧは、増加する重み２０，２１，．．，２ｎを有する。ここで、ｎは、一番右のグループにおける１から、一番左のグループにおけるＮまでの範囲の整数である。この方式による重みＷを選択することは、（Ｎ＋３）＊Ｎ／２個のサブフィールドで２Ｎ＋２−Ｎ−３個のグレイレベルＧＬをコード化することを可能にする。図示された例では、Ｎは３に等しく、このため、第１のグループＧ１は重み値「１２」を有し、第２のグループＧ２は値「１２４」を有し、及び第３のグループＧ３は値「１２４８」を有する。このコーディング方式は、９個のサブフィールドを使用して２６個のグレーレベルＧＬをもたらす。
【００３３】
この更に形式化されたデザインを通じて、本発明によるコーディング方式を所望の任意の数のグレーレベルＧＬにまで拡大することが可能である。
【００３４】
本発明の第３の実施例は、図９のコーディング方式に示されている。この実施例では、重みＷは、潜在的グレーレベルＧＬの非線形方式が利用できるように選択されている。異なるレベルの数ＮＲは２８であり、図８の実施例の場合とほぼ同じである。しかし、グレーレベルの範囲は非常に大きく、それは０から２５５まである。図１０を基準にして、このコーディング方式は、次のようにして構築される。
【００３５】
先ず、ステップＳ１において、フレームは、サブフィールドの２つのグループ９、１０に分割される。好ましくは、各グループは同じ数のサブフィールドを有する。第１のグループ９はフレームの始まりの部分から中央に向かって減少する重みＷが与えられ（ステップＳ２）、第２のグループ１０はフレームの中央から終わりの部分に向かって増加する重みＷが与えられる（ステップＳ３）。この点において、重みＷの正確な値は、決定されていない。
【００３６】
ステップＳ４では、第１のグループ９の連続したサブフィールドの選択が形成され、全てはそのグループの最後のサブフィールドで終了する。次に、各選択に対して、第２のグループ１０からの連続するサブフィールドの選択のグループが追加され、各選択はそのグループの最初のサブフィールドから始まる。これは、中間結果として、図１１の形態をつくる。この図は、左手側に１つの大きな三角形を有し、右手側に幾つかの小さい三角形を有する。以下の制限が導入されていることに注意されたい。即ち、一方のグループからのサブフィールドの数は、他方のグループからのサブフィールドの数を、２つ以上、超えてはならない。
【００３７】
次に、ステップＳ５において、各組合せに対応するグレースケールレベルが計算され、ステップＳ６において、レベルは増加する順に並ばされ、その結果図９に示される「クリスマスツリー」コードテーブルを得る。
【００３８】
最後に、ステップＳ７において、２乃至３ぐらいの指数を有する（略）指数曲線上にグレーレベルＧＬが分布するように、サブフィールドの重みを選択することができる（図１２参照）。これは、ほぼ、人間の視覚システムの逆指数であり、（ほぼ）知覚的に均一のスケールとなる。
【００３９】
この実施例によると、フレーム内の発光期間は、フレーム期間のほぼ中央に位置する。従って、大部分のグレーレベルに対して、光発生の重心は、フレーム期間の中央部に近い。これは、重心がフレームの開始から終了まで変化することができる方式と比較して、空間的−時間的アーチファクトを低減する。
【００４０】
隣接するグレーレベルＧＬの間で幾つかのサブフィールドの変化が起きるけれども、これは厳しい擬似輪郭（contouring）をもたらすわけではない。その理由は、サブフィールド変化の数は依然としてグループの各々の中で２つに制限されるからである。また、この実施例では、各グレーレベルＧＬに対する立上り時刻の数は等しい。
【００４１】
図９から分かるように、ゼロではないどのグレーレベルのアドレッシング期間も、第１のグループ９から少なくとも１つのサブフィールド、即ち「１」を含む。この特徴は、サブフィールドの第１のグループ９に対応するアドレッシング期間の前半の期間をＯＮ−アドレッシングとし、後半の期間をＯＦＦ−アドレッシングとするのに有利である。これは、本発明の第４の実施例として言及されている。
【００４２】
サブラインアドレッシングにおいても有益である一方で、第４の実施例はサブフィールドアドレッシングにおいて追加の利点を有する。ディスプレイが或る時間において１つのラインに対してアドレスされ光を発生するサブラインアドレッシングに対して（例えばパッシブマトリックスＰＬＥＤディスプレイ）、サブフィールドアドレッシングは、（連続的にラインをアドレスした後に）光発生がディスプレイ全体に対して同時に行われる状況（例えば、プラズマディスプレイ又はダイナミックフォイルディスプレイ）を意味する。
【００４３】
サブフィールドアドレッシングを実現する２つの異なる方法が、基本的に存在する。
【００４４】
幾つかの画素のアドレッシングが他の画素の光の発生の間に実行されるAddress-while-display（ＡＷＤ）。これは、より効率的であるが、ＡＤＳより一般に複雑であり手堅いものではない。
【００４５】
各フレームがアドレッシング期間と光発生期間とに分離されるAddress-display-separated（ＡＤＳ）。これは、実現しやすいが、ＡＷＤほど効率的ではない。
【００４６】
１．Address-while-display
ＡＷＤでは、例えば、ダイナミックフォイルディスプレイに対して典型的であるが、アドレッシングは、先ず、行電圧を、行の画素をＯＮにアドレスできる値又はＯＦＦにアドレスできる値に設定することによって行われ、一方、他の行はいわゆる非選択電圧である（即ち、他の行の画素は切り替わらず、データ電圧に依存しない）。従来技術のＡＷＤアドレッシングの説明図が、図１３に与えられている。図１３は、ディスプレイの垂直方向の８個の行Ｒを示し、一方、水平方向には、時間ｔの関数としてこれらの行Ｒのアドレッシング及び発光が示されている。各ブロックは期間を表す。図１３から分かるように、アドレッシングは各サブフィールドに対して２つの走査、ＯＮ走査２１及びＯＦＦ走査２２を必要とする。各ＯＮ走査２１は発光期間２３を導入し、各ＯＦＦ走査２２はこの期間を終了する。連続するＯＦＦ走査とＯＮ走査との間には、使用されない期間２４が存在する。フレーム期間は、確実な全ＯＦＦアドレッシング２５から開始する。
【００４７】
本発明の第４実施例によるコーディング方式を用いたＡＷＤアドレッシングが図１４に示されている。再度、フレームが確実な全ｏｆｆアドレッシング３５から開始されている。どのＯＮアドレッシング３１もサブフィールドの第１のグループ９の間に発生し、どのＯＦＦアドレッシング３２も第２のグループ１０の間に発生する。従って、サブフィールド毎に一走査のみが要求され、この走査はサブフィールドの第１のグループ９の間はＯＮアドレッシング電圧を設定し、サブフィールドの第２のグループ１０の間はＯＦＦアドレッシング電圧を設定する。従って、従来生じている使用されなかった期間が無くなり、発光期間３３はフレーム全体をカバーする（フレーム期間の開始及び終了における軽微の期間３４を除く）。
【００４８】
これは行電極上の電圧変化の回数、特に大きな電圧変化の回数を減らす（例えばフォイルディスプレイでは、ＯＮからＯＦＦへの電圧の変化は、典型的には、ＯＮから非選択まで又はＯＦＦから非選択までの電圧変化の２倍以上である）。
【００４９】
２．  Address-display-separated
例えば、プラズマディスプレイで実行されているような、従来のＡＤＳアドレッシングが図１５に示されている。フレーム期間は、アドレッシング期間４１と重み付けされた発光期間４２とに分割される。アドレッシングは通常、ＯＮアドレッシング４３として実行され、消去動作４４が各ＯＮアドレッシングに先行する。通常、フレームの最初の消去はいわゆるハードでプライミング的なものであり、そこでは全てのセルは確実に消去され、履歴とは独立したものである。フレームの他の消去（ソフト消去）は通常、ソフト的なものであり、それはフレーム毎に１つのハード消去と協働して確実に機能する。更に、画素が長い期間オフであるとき、ＯＮアドレッシングを実行するのに必要な時間は長くなる。従って、フレームの最初のアクティブサブフィールドのアドレッシングは、わずかに長い時間を必要とする。バイナリ重み付けコーディングでは、この最初のアドレッシングはどのサブフィールドにおいても発生し、従って各アドレッシング期間４３はこの長い時間に適応しなければならない。
【００５０】
本発明の第４の実施例によるコーディングを用いたＡＤＳアドレッシングが図１６に示されている。先行技術のアドレッシングのように、消去動作５４がフレームに先行する。次に、フレームの残りの部分がアドレッシング期間５１、５５及び発光期間５２に分割される。フレームの前半部分の間、即ち、サブフィールドの第１のグループ９の間、実行されるアドレッシング５３は、ＯＮアドレッシングである。フレームの後半部分の間、ＯＦＦアドレッシング５６が実行され、第１のグループの最後の発光期間５２は「全ＯＮ」状態として作用する。フレームの間のどの時間においてもオンである画素、即ち、ゼロ以外のグレーレベルＧＬを表示しなければならない全ての画素は、当該発光期間の間、オンである。
【００５１】
負のアドレッシング５６が十分にすばやく実行できるので（５０％まで）、ＯＦＦアドレッシング期間５５はＯＮアドレッシング期間５１より短く、従って、従来のバイナリ重み付けコーディングよりも全アドレッシング時間が短くなり、より多くの数のサブフィールドが可能になる。
【００５２】
本発明によるコーディング方式は、他のタイプのディスプレイ（例えば、黒状態又は明状態を得るために反射ミラーが約±１０度に渡って傾くデジタルミラー装置、及び、例えば高反射状態と黒状態との間で切り替えるためにエアギャップサイズを変化させるように金属膜が静電的に駆動される、いわゆるｉＭｏＤ（interferometric modulator）を伴なうディスプレイ）でも有利に使用することができる。
【００５３】
本発明によるコーディング方式は、ＰＬＥＤディスプレイ及びＦＥＤディスプレイのような如何なるパッシブマトリックスディスプレイにも、有利に使用することができる。
【００５４】
当業者が本発明の範囲内で他のコーディング方式を求めることができることが明らかである。例えば、上に挙げられたどの例も、その効果を変えないままで逆にすることができる。また、本発明の概念から逸脱せずに、上記の例に対して多くの小さな調整をすることができる。特定の場合として、本発明の第４実施例において、サブフィールドの数及びサブフィールドの重みは、当業者によって適していると判明したものに変えることができる。
【００５５】
上記の実施例は、本発明を制限することなく示しており、当業者は、添付された特許請求の範囲から逸脱すること無く、多くの他の実施例を設計することができる点に留意する必要がある。単語「有する」は、請求項に挙げられた以外の要素又はステップの存在を排除するものではない。要素が単数であることは、斯かる要素の複数の存在を排除するものではない。本発明は、幾つかの個別の素子を有するハードウェアによって、及び適切にプログラムされたコンピュータによって、実現することができる。幾つかの手段を列挙している装置請求項では、これらの手段の幾つかを、同一のハードウェアのものとして実現することができる。特定の手段が相互に異なる従属項に挙げられるという単なる事実は、これらの手段の組合せを有利に使用することができないことを示すものではない。
【図面の簡単な説明】
【００５６】
【図１】純然たるパルス幅変調コーディング方式によるグレーレベル４、５及び６のコーディングを示す。
【図２】バイナリ重付けサブラインコーディング方式によるグレーレベル４、５及び６のコーディングを示す。
【図３】本発明の第１の実施例によるコーディング方式の一例を示す。
【図４】図３のコーディング方式によるグレーレベル４、５及び６のコーディングを示す。
【図５】本発明の第１の実施例によるコーディング方式の他の例を示す。
【図６】本発明の第１の実施例によるコーディング方式の他の例を示す。
【図７】本発明の第１の実施例によるコーディング方式の他の例を示す。
【図８】本発明の第２の実施例によるコーディング方式の一例を示す。
【図９】本発明の第３の実施例によるコーディング方式の一例を示す。
【図１０】図８のコーディング方式がどのように設計されるかを示すフローチャートである。
【図１１】作成中の図８のコーディング方式を示す。
【図１２】図９のコーディング方式に対する、光出力−グレイレベル番号の図である。
【図１３】従来技術によるＡＷＤアドレッシングを示す。
【図１４】図９のコーディング方式によるＡＷＤアドレッシングを示す。
【図１５】従来技術によるＡＷＤアドレッシングを示す。
【図１６】ＯＮアドレッシングサブフィールドとＯＦＦアドレッシングサブフィールドとのグループを有する、図９のコーディング方式によるＡＤＳアドレッシングを示す。
【符号の説明】
【００５７】
９、１０  グループ
２１  ＯＮ走査
２２  ＯＦＦ走査
２３、３３、４２、５２  発光期間
２４  使用されない期間
３１  ＯＮアドレッシング
３２、５６  ＯＦＦアドレッシング
４１、４３、５１、５５  アドレッシング期間
【図１】
2006508395.tif 000003
【図２】
2006508395.tif 000004
【図３】
2006508395.tif 000005
【図４】
2006508395.tif 000006
【図５】
2006508395.tif 000007
【図６】
2006508395.tif 000008
【図７】
2006508395.tif 000009
【図８】
2006508395.tif 000010
【図９】
2006508395.tif 000011
【図１０】
2006508395.tif 000012
【図１１】
2006508395.tif 000013
【図１２】
2006508395.tif 000014
【図１３】
2006508395.tif 000015
【図１４】
2006508395.tif 000016
【図１５】
2006508395.tif 000017
【図１６】
2006508395.tif 000018
【国際調査報告】
2006508395.tif 000019
2006508395.tif 000020
2006508395.tif 000021
2006508395.tif 000022
2006508395.tif 000023
2006508395.tif 000024